(57)【要約】      （修正有）【課題】トナーボトル内のトナーが固まって、トナーボトルからトナーが排出できないことを抑制するトナー補給装置を提供する。【解決手段】回転可能な複数のトナーボトルを有し、複数のトナーボトルのうちトナー補給を行うトナーボトルを回転させて、トナーボトル内のトナーを現像装置に補給するトナー補給装置であって、トナー補給時に、最初にトナー補給を行うトナーボトルを第１のトナーボトル５０Ｋ１とし、前記第１のトナーボトル以外のトナーボトルを第２のトナーボトル５０Ｋ２とすると、第２のトナーボトル５０Ｋ２を第１のトナーボトル５０Ｋ１の回転方向と逆方向に定期的に回転させ、さらに、第２のトナーボトル５０Ｋ２内のトナーを定期的使用する。【選択図】図４
2009080402.tif 000002
【特許請求の範囲】
【請求項１】
回転可能な複数のトナーボトルを有し、前記複数のトナーボトルのうちトナー補給を行うトナーボトルを回転させて、前記トナーボトル内のトナーを現像装置に補給するトナー補給装置であって、
トナー補給時に、最初にトナー補給を行うトナーボトルを第１のトナーボトルとし、前記第１のトナーボトル以外のトナーボトルを第２のトナーボトルとすると、
前記第１のトナーボトル内のトナーを排出させるために回転する回転方向と反対方向に、前記第２のトナーボトルを定期的に回転させるように制御する制御手段を有することを特徴とするトナー補給装置。
【請求項２】
回転可能な複数のトナーボトルを有し、前記複数のトナーボトルのうちトナー補給を行うトナーボトルを回転させて、前記トナーボトル内のトナーを現像装置に補給するトナー補給装置であって、
トナー補給時に、最初にトナー補給を行うトナーボトルを第１のトナーボトルとし、前記第１のトナーボトル以外のトナーボトルを第２のトナーボトルとすると、
前記第２のトナーボトル内のトナーを定期的に使用するように制御する制御手段を有することを特徴とするトナー補給装置。
【請求項３】
前記複数のトナーボトルの回転数をそれぞれ計測する計測手段を有することを特徴とする請求項１または２に記載のトナー補給装置。
【請求項４】
前記制御手段は、前記計測手段により計測された前記第１のトナーボトルの回転数が所定の値に達したときに、前記第１のトナーボトルの回転方向と反対方向に、前記第２のトナーボトルを回転させることを定期的に行うように制御することを特徴とする請求項１または３に記載のトナー補給装置。
【請求項５】
前記制御手段は、前記計測手段により計測された前記第１のトナーボトルの回転数が所定の値に達したときに、前記第２のトナーボトル内のトナーを使用することを定期的に行うように制御することを特徴とする請求項２または３に記載のトナー補給装置。
【発明の詳細な説明】
【技術分野】
【０００１】
本発明はトナー補給装置に関し、特に電子写真方式を用いた画像形成装置のトナー補給装置に関する。
【背景技術】
【０００２】
電子写真方式を用いた画像形成装置において、コピー枚数が多く、また、写真のようなベタ画像（高印字率画像という）を多く含む画像をプリントする場合にはトナー消費量が多くなり、トナーを収容するトナーボトルを大型化する方法や、同色のトナーボトルを複数装着する方法が提案されている。しかしながら、トナーボトルを大きくすると、その分画像形成装置も大きくなるので、トナーボトルの大きさには限度がある。
【０００３】
また、複数のトナーボトルを装填する方法では、トナー補給を行う順番が遅いトナーボトルの場合、画像形成装置内に長時間置かれると環境の温度変化などによりトナーボトル内のトナーの流動性が悪化することが考えられる。流動性が悪いトナーは補給時にトナーボトル内からトナー排出口へのトナーの搬送が困難になるという問題が発生する。
【０００４】
これらの問題を解決するために特許文献１では、複数のトナー収容容器を有したトナー補給装置において、トナー補給時にすべてのトナー収容容器（トナーボトル）を回転させる回転手段を設けている。そして、第１のトナーボトルのトナーを補給する際には、第２のトナーボトルの回転を停止し、トナー補給時以外に第２のトナーボトルを所定時間回転させることにより、トナーボトル内のトナーの流動性の悪化を防止できる技術が記載されている。
【０００５】
また、特許文献２には、画像形成装置にはカラートナーボトルと同じ大きさの複数の黒色トナーボトルを装填できるようになっている。そして、任意の数の黒色トナーボトルを同時に回転させることが可能で、黒色トナーの消費量に応じ、消費量に見合う供給量になるように必要数の黒色トナーボトルを回転動作させる技術が記載されている。
【特許文献１】特開平１０−１９８１４７号公報
【特許文献２】特開２００６−３０１２８４号公報
【発明の開示】
【発明が解決しようとする課題】
【０００６】
しかしながら、特許文献１に記載の技術では、第１のトナーボトルと第２のトナーボトルを回転させているため、第２のトナーボトルからもトナーが排出するので、トナー排出口からトナーが排出しないように排出口を塞ぐ機構を設けなければならないという問題が生じる。また、特許文献２の技術では、文字画像のようなトナー消費量が少ない画像をプリントするときは、トナーボトルが複数同時回転するまでに他のボトル（第２のトナーボトル）の放置時間が長くなる可能性があり、第２のトナーボトルを回転させてもトナーの流動性が悪くトナーが排出できない場合がある。
【０００７】
本発明の目的は、トナーボトル内のトナーが固まって、トナーボトルからトナーが排出できないことを抑制するトナー補給装置を提供することである。
【課題を解決するための手段】
【０００８】
上記目的は、下記構成により達成できる。
１．回転可能な複数のトナーボトルを有し、前記複数のトナーボトルのうちトナー補給を行うトナーボトルを回転させて、前記トナーボトル内のトナーを現像装置に補給するトナー補給装置であって、
トナー補給時に、最初にトナー補給を行うトナーボトルを第１のトナーボトルとし、前記第１のトナーボトル以外のトナーボトルを第２のトナーボトルとすると、
前記第１のトナーボトル内のトナーを排出させるために回転する回転方向と反対方向に、前記第２のトナーボトルを定期的に回転させるように制御する制御手段を有することを特徴とするトナー補給装置。
２．回転可能な複数のトナーボトルを有し、前記複数のトナーボトルのうちトナー補給を行うトナーボトルを回転させて、前記トナーボトル内のトナーを現像装置に補給するトナー補給装置であって、
トナー補給時に、最初にトナー補給を行うトナーボトルを第１のトナーボトルとし、前記第１のトナーボトル以外のトナーボトルを第２のトナーボトルとすると、
前記第２のトナーボトル内のトナーを定期的に使用するように制御する制御手段を有することを特徴とするトナー補給装置。
３．前記複数のトナーボトルの回転数をそれぞれ計測する計測手段を有することを特徴とする１または２に記載のトナー補給装置。
４．前記制御手段は、前記計測手段により計測された前記第１のトナーボトルの回転数が所定の値に達したときに、前記第１のトナーボトルの回転方向と反対方向に、前記第２のトナーボトルを回転させることを定期的に行うように制御することを特徴とする１または３に記載のトナー補給装置。
５．前記制御手段は、前記計測手段により計測された前記第１のトナーボトルの回転数が所定の値に達したときに、前記第２のトナーボトル内のトナーを使用することを定期的に行うように制御することを特徴とする２または３に記載のトナー補給装置。
【発明の効果】
【０００９】
本発明によれば、第２のトナーボトルを第１のトナーボトルの回転方向と逆方向に回転させることを定期的に行うことによりトナーボトル内のトナーが固まることを抑制し、トナーボトルからトナーを排出することができる。
【００１０】
さらに、第２のトナーボトル内のトナーを使用することを定期的に行っているので、トナーボトル内のトナーが固まることを抑制できる。
【発明を実施するための最良の形態】
【００１１】
本発明の実施の形態を説明する。なお、本発明を図示の実施の形態に基づいて説明するが、本発明は該実施の形態に限らない。また、以下の、本発明の実施の形態における断定的な説明は、ベストモードを示すものであって、本発明の用語の意義や技術的範囲を限定するものではない。
【００１２】
図１は本発明の実施の一形態である画像形成装置本体ＧＨの構成を簡略化して示す図であり、図２は図１に示す画像形成装置本体ＧＨに備わるトナー補給装置まわりの構成を示す拡大図である。画像形成装置本体ＧＨは、電子写真方式を用いるフルカラー画像形成装置であり、たとえば複写機、プリンタ等の機能を備える複合機である。
【００１３】
ここでは、まず画像形成装置本体ＧＨの全体構成の概要を説明し、次いで本発明に係るトナー補給装置について説明する。
（画像形成装置）
画像形成装置本体ＧＨは、タンデム型カラー画像形成装置と称せられるもので、複数組の画像形成部１０Ｙ、１０Ｍ、１０Ｃ、１０Ｋと、ベルト状の中間転写体６と給紙部と定着装置２４とからなる。なお各部の参照符号の末尾のアルファベットは、各色を表すＫ（黒色）、Ｃ（シアン）、Ｍ（マゼンタ）、Ｙ（イエロー）であり、色を特定する際に表記する。
【００１４】
イエロー色の画像を形成する画像形成部１０Ｙは、感光体１Ｙの周囲に配置された帯電装置２Ｙ、露光装置３Ｙ、現像装置４Ｙ及びクリーニング装置８Ｙを有する。マゼンタ色の画像を形成する画像形成部１０Ｍは、感光体１Ｍ、帯電装置２Ｍ、露光装置３Ｍ、現像装置４Ｍ及びクリーニング装置８Ｍを有する。シアン色の画像を形成する画像形成部１０Ｃは、感光体１Ｃ、帯電装置２Ｃ、露光装置３Ｃ、現像装置４Ｃ及びクリーニング装置８Ｃを有する。黒色画像を形成する画像形成部１０Ｋは、感光体１Ｋ、帯電装置２Ｋ、露光装置３Ｋ、現像装置４Ｋ及びクリーニング装置８Ｋを有する。帯電装置２Ｙと露光装置３Ｙ、帯電装置２Ｍと露光装置３Ｍ、帯電装置２Ｃと露光装置３Ｃ及び帯電装置２Ｋと露光装置３Ｋとで、感光体１Ｋ、１Ｙ、１Ｍ、１Ｃのそれぞれに静電潜像を形成する潜像形成手段を構成する。
【００１５】
中間転写体６は、駆動ローラ９Ａ及び従動ローラ９Ｂ〜９Ｅに張架され、画像形成時に矢印で示すように循環移動する。
【００１６】
画像形成部１０Ｙ、１０Ｍ、１０Ｃ及び１０Ｋにより形成された各単色画像は、中間転写体６上に転写ローラ７Ｙ、７Ｍ、７Ｃ及び７Ｋにより逐次１次転写されて、重ね合わされたカラー画像が形成される。中間転写体６上にカラー画像を形成する画像形成部１０Ｙ、１０Ｍ、１０Ｃ、１０Ｋ及び転写ローラ７Ｙ、７Ｍ、７Ｃ、７Ｋは像形成部を構成する。
【００１７】
複数の給紙カセット２０ａ、２０ｂ、２０ｃ内に収容された用紙Ｐは、繰り出しローラ及び捌き部材からなる給紙部２１により給紙され、給紙ローラ２２Ａ、２２Ｂ、２２Ｃ、レジストローラ１０２等を経て、電源７Ｂにより転写電圧が印加された転写ローラ７Ａにより用紙Ｐ上にカラー画像が２次転写される。
【００１８】
カラー画像が形成された用紙Ｐは、分離手段としての駆動ローラ９Ａにより中間転写体６から分離される。分離手段は小ローラで構成された駆動ローラ９Ａからなり、中間転写体６を駆動ローラ９Ａにより小さな曲率半径で強度に屈曲させることにより、紙の直進性を利用して用紙Ｐを中間転写体６から分離する。
【００１９】
給紙カセット２０ｂ及び２０ｃには符号を省略しているが、それぞれ給紙部２１及び搬送ローラ２２Ａが設けられている。給紙カセット２０ａ、２０ｂ、２０ｃ、手差し給紙台２０ｄ又は両面画像形成用の反転搬送部からの用紙搬送路はループ形成ローラ１０１の上流で合流し、ループ形成ローラ１０１には単一の用紙搬送路から用紙Ｐが送り込まれる。
【００２０】
カラー画像が転写された用紙Ｐは、定着装置２４により定着処理され、排紙ローラ２５に挟持されて機外の排紙トレイ２６上に載置される。定着装置２４は、それぞれ内側にヒータが配置された上下ローラ２４Ａ、２４Ｂ、クリーニングローラ２４Ｃ等で構成される。
【００２１】
一方、転写ローラ７Ａにより用紙Ｐにカラー画像を転写した後、用紙Ｐを分離した中間転写体６は、クリーニング装置８Ａによりクリーニングされる。
【００２２】
５０Ｙ、５０Ｍ、５０Ｃ、５０Ｋは、現像装置４Ｙ、４Ｍ、４Ｃ、４Ｋにそれぞれ新規トナーを補給するトナーボトルである。
【００２３】
画像形成装置本体ＧＨの上部には、自動原稿送り装置２０１と原稿を露光する原稿露光装置２０２から成る画像読取装置ＹＳが設置されている。自動原稿送り装置２０１の原稿台上に載置された原稿ｄは搬送ローラにより搬送され、原稿露光装置２０２の光学系により原稿の片面又は両面の画像が走査露光され、ラインイメージセンサＣＣＤにより読み込まれる。
【００２４】
ラインイメージセンサＣＣＤにより光電変換されたアナログ信号は、画像処理部において、アナログ処理、Ａ／Ｄ変換、シェーディング補正、画像圧縮処理等を行った後、書き込み装置３Ｙ、３Ｍ、３Ｃ、３Ｋに入力する。
【００２５】
自動原稿送り装置２０１は両面原稿搬送手段を備えている。原稿露光装置２０２は原稿載置台上から給送される多数枚の原稿ｄの画像を、連続して読み取り、記憶部に記憶する事から（電子ＲＤＨ機能）、複写機能により多数枚の原稿内容を複写することが可能であり、また、ファクシミリ機能により多数枚の原稿ｄの画像データを送信することが可能である。
（トナー補給装置）
次に、本発明に係るトナー補給装置５について図２を用いて説明する。図２は感光体１、現像部４、及び、トナー補給装置５を示す。トナー補給装置５はトナーを貯留する貯留部５６、トナーを搬送する搬送部５７、及び、トナーを収納するトナーボトル５０から構成される。なお、現像装置は現像部４とトナー補給装置５から構成されている。また、図中の網点はトナーを示す。
【００２６】
トナーボトル５０は外周に螺旋状の溝が設けられた円筒形状をしており、現像装置に設けられたボトル受け部５２に着脱可能に装着される構造となっている。トナーボトル５０内にトナーが収容され、トナーが消費され無くなったと推定されたときにボトル受け部５２から取り出され、新品と交換される。なお、トナーボトル内にトナーがあるかどうかの推定は、例えば、トナーボトルの質量を直接測定して判定する方法や、トナー貯留部内にトナー量検知センサを設け、センサがトナー無し信号を所定回数以上発信したとき、トナーボトルにトナーが無いと推定する等の方法がある。
【００２７】
トナーボトル５０は、トナーの排出口５３を有しその先端はトナー補給装置本体の駆動軸（図示せず）と結合され歯車５５を介してモータＭ５０からの駆動力でトナーボトル５０が回転する。トナーボトル５０には螺旋状の溝（容器内壁に突出している）が設けられ、トナーを搬送する推力を発生させる。推力によってトナーは矢印Ｘの方向に搬送され、排出口５３から貯留部５６に供給される。トナーボトル５０からトナーを排出する機構の詳細は、特開２００１−６６８７０号公報や特開２００１−１８３８９６号公報に記載されている。
【００２８】
ここで、トナーボトルの回転数を計測する計測手段１５０は、本実施の形態では、モータＭ５０の回転数を計測することによって行っている。モータＭ５０はステッピングモータ等回転数をカウントできるモータが望ましく、そのステップ数をカウントすることによって容易に回転数を算出することができる。なお、計測手段１５０はトナー補給装置の動作を制御する制御手段１００が有するカウンタ機能を利用してる。
【００２９】
貯留部５６内には、内壁に沿って回転する弾性薄板の撹拌羽根を有した撹拌部材５８が緩やかに回転し、貯留されたトナーが壁面に固着したり固化したりするのを防止している。また、貯留部５６の内壁にはピエゾ素子を用いたトナー量を検知するセンサ５６１が設けられている。センサ５６１の検知部も撹拌部材５８によって適時摺擦され、トナー残量の検知にあたって誤検知がなされるのを防止している。センサ５６１の貯留部５６内における検知位置はトナー量として５０〜５５ｇ程度のトナー量を検知する位置に設けられている。このトナー量はＡ４サイズ転写紙に黒化率５．５％のプリントを行うと、約３０００枚見当のトナー量に相当する。
【００３０】
貯留部５６の底部近傍にはトナーを搬送するトナー搬送スクリュ５９を有するトナー搬送部５７が設けられている。搬送スクリュを駆動するモータＭ５９の駆動によってトナー搬送スクリュ５９が回転し、貯留部５６内のトナーがトナー搬送部５７に沿って現像部４に搬送される。
【００３１】
図３は図２のＡ−Ａ断面図であり、黒色Ｋのトナー補給装置５Ｋが複数のトナーボトル５０Ｋを装填したところを示し、図４はトナー補給装置５Ｋの斜視図である。本実施の形態では２個のトナーボトル５０Ｋを設けている。図３，図４において、トナーボトルを回転させるモータＭ５０や、トナーボトル装填部等については省略している。なお、図３，図４では、黒色を例にして説明するが、他の色であっても同様である。
（実施例１）
本発明に係るトナー補給装置の第１の実施例を説明する。
【００３２】
図３において、最初にトナー補給時にトナー補給を行うトナーボトルを第１のトナーボトル５０Ｋ１とし、予備のトナーボトルを第２のトナーボトル５０Ｋ２とする。第１のトナーボトル５０Ｋ１は矢印Ｙ方向に回転しながらトナーを排出するようになっている。また、第２のトナーボトル５０Ｋ２は矢印Ｚ方向に矢印Ｙ方向と反対方向に回転し、第２のトナーボトル５０Ｋ２内にあるトナーが排出されないようになっている。
【００３３】
第２のトナーボトル５０Ｋ２は、計測手段１５０により計測された第１のトナーボトル５０Ｋ１の回転数が所定の値に達したときに、第１のトナーボトル５０Ｋ１の回転方向と反対方向に回転することが定期的に行われる。すなわち、第２のトナーボトル５０Ｋ２内のトナーはトナーボトルの回転が定期的に行われるので、画像形成装置内に長時間置かれたとしてもトナーボトル内のトナーの流動性が悪化することはない。また、第２のトナーボトル５０Ｋ２は第１のトナーボトル５０Ｋ１と反対方向に回転するので、トナー排出口５３を塞いでトナーが排出しないようにする機構を設ける必要が無い。
【００３４】
なお本実施の形態では、定期的とは、第１のトナーボトル５０Ｋ１が所定の回転数３０回転に対して、第２のトナーボトル５０Ｋ２が１回転することとする。
（実施例２）
次に本発明に係るトナー補給装置の第２の実施例を説明する。第２の実施例では第２のトナーボトル５０Ｋ２内のトナーを定期的に使用することによって、第２のトナーボトル５０Ｋ２内のトナーの流動性を悪化させないようとする例である。実験では、第１のトナーボトル５０Ｋ１の回転数３０に対して、第２のトナーボトル５０Ｋ２の使用回数が１の割合でも特にトナーの流動性が悪化したことはなかった。
（ブロック図）
図５は本発明に係るトナー補給装置５の電気的構成を示すブロック図である。
【００３５】
図５において、制御手段１００は演算制御処理を行うＣＰＵと、各種動作プログラムを記憶するＲＯＭと、測定結果データをメモリするＲＡＭと、計測手段１５０等で構成されている。ＣＰＵはインターフェースＩ／Ｆを介して外部機器に接続されている。インターフェースＩ／Ｆの入力側には、貯留部５６内の所定量のトナーを検知するセンサ５６１等が接続され、インターフェースＩ／Ｆの出力側にはトナーボトル５０を回転する駆動モータＭ５０、貯留部５６内のトナーを搬送するトナー搬送スクリュ５９を駆動するモータＭ５９、装置本体の操作部に設けられ、表示を行う表示部２００Ａ等の各々が接続されている。
（フローチャート）
次に、本発明に係るトナー補給装置５の制御手段が行う動作について実施例１を図６、実施例２を図７のフローチャートを用いて説明する。
【００３６】
図６において、制御手段は、センサ５６１Ｋが貯留部５６Ｋ内に所定量のトナーが無いことを検知（ステップＳ１）したときに、モータＭ５０Ｋに第１のトナーボトル５０Ｋ１を回転させトナーを排出するように指示する（ステップＳ２）。再びセンサ５６１Ｋは貯留部５６Ｋにトナーが所定量あるかどうかを検知（ステップＳ３）し、Ｓ３がＹｅｓのとき第１のトナーボトル５０Ｋ１の回転を停止する（ステップＳ４）ように制御手段に指示する。もし、Ｓ３がＮｏのときはＳ２に戻る。第１のトナーボトル５０Ｋ１の回転数が所定の回数（本実施の形態では３０回転）回転したかどうかを判断し（ステップＳ５）、Ｓ５がＹｅｓのときは第２のトナーボトル５０Ｋ２を第１のトナーボトル５０Ｋ１の回転方向と反対方向に回転させる（ステップＳ６）。Ｓ５がＮｏのときは所定回数にならないのでそのまま終了する。第２のトナーボトル５０Ｋ２が所定回数（本実施の形態では１回転）回転したかどうかを判断し（ステップＳ７）、Ｓ７がＹｅｓのときは第２のトナーボトル５０Ｋ２の回転を停止する（ステップＳ８）。Ｓ７がＮｏのときはＳ６に戻る。
【００３７】
実施例２について図７のフローチャートを用いて説明する。図７はステップＳ５までは実施例１と同じであるが、Ｓ５がＹｅｓのとき第２のトナーボトル５０Ｋ２を第１のトナーボトル５０Ｋ１と同方向に回転させトナーを排出させる（ステップＳ１０）。第２のトナーボトル５０Ｋ２が所定回数回転したかどうかを判断し（ステップＳ１１）、Ｓ１１がＹｅｓのとき第２のトナーボトル５０Ｋ２の回転を停止する（ステップＳ１２）。Ｓ１１がＮｏのときはＳ１０に戻る。
【００３８】
このように、コピー枚数が多く、また、写真のようなベタ画像（高印字率画像という）を多く含む画像をプリントする画像形成装置において、回転可能な複数のトナーボトルを装填するトナー補給装置が用いられる。そして、複数のトナーボトルのうち、トナー補給時に最初にトナー補給を行うトナーボトルを第１のトナーボトルとし、第１のトナーボトル以外の第２のトナーボトルとしたとき、第２のトナーボトルを第１のトナーボトルの回転方向と逆方向に定期的に回転させるようすることにより、第２のトナーボトル内のトナーが固まることが無く、トナーボトルからトナーを排出することができる。
【００３９】
また、第２のトナーボトル内のトナーを定期的に使用することによっても、第２のトナーボトル内のトナーが固まることが抑制される。
【００４０】
なお、本実施例１，２ではトナーボトルの回転数を計測する計測手段１５０を用いたが、特にトナーボトルの回転数に限定することはなく、例えば、トナー補給装置に装填されているトナーボトルの装填時間を計測するタイマーを用いてもよい。タイマーが、第２のトナーボトルが所定時間一度も使用されていないことを計測し、第２のトナーボトルを定期的に第１のトナーボトルの回転方向と反対方向に回転させたり、あるいは定期的に使用したりすることであっても良い。
【図面の簡単な説明】
【００４１】
【図１】本発明の実施の一形態である画像形成装置の構成を簡略化して示す図である。
【図２】図１の画像形成装置に備わるトナー補給装置まわりの構成を示す拡大図である。
【図３】図２のＡ−Ａ断面図である。
【図４】トナー補給装置５Ｋの斜視図である。
【図５】本発明に係るトナー補給装置５の電気的構成を示すブロック図である。
【図６】本発明に係るトナー補給装置５の制御手段が行う実施例１のフローチャートである。
【図７】本発明に係るトナー補給装置５の制御手段が行う実施例２のフローチャートである。
【符号の説明】
【００４２】
１  感光体
４  現像部
５  トナー補給装置
５０  トナーボトル
５２  ボトル受け部
５６  貯留部
５７  搬送部
５９  トナー搬送スクリュ
Ｐ  用紙
【図１】
2009080402.tif 000003
【図２】
2009080402.tif 000004
【図３】
2009080402.tif 000005
【図４】
2009080402.tif 000006
【図５】
2009080402.tif 000007
【図６】
2009080402.tif 000008
【図７】
2009080402.tif 000009